(57)【要約】【課題】照明光の均斉度を高めることができる照明器具を提供する。【解決手段】照明器具２は、空間６を照明するための照明器具である。照明器具２は、発光モジュール１４と、発光モジュール１４からの光を空間６に向けて導く補助導光板１６であって、発光モジュール１４からの光が入射する入射部６６と、入射部６６に入射した光を空間６に向けて出射する出射面６８ａが形成された出射部６８とを有する補助導光板１６と、発光モジュール１４からの光を空間６に向けて導く導光板２２であって、発光モジュール１４からの光が入射する入射部８０と、入射部８０に入射した光を空間６に向けて出射する出射面８２ａが形成された出射部８２とを有する導光板２２とを備える。出射面６８ａは、出射面８２ａを含む平面とは異なる平面上に配置されている。【選択図】図４
2020136043.tif 000002
【特許請求の範囲】
【請求項１】
空間を照明するための照明器具であって、
発光部と、
前記発光部からの光を前記空間に向けて導く第１の導光板であって、前記発光部からの光が入射する第１の入射部と、前記第１の入射部に入射した光を前記空間に向けて出射する第１の出射面が形成された第１の出射部と、を有する第１の導光板と、
前記発光部からの光を前記空間に向けて導く第２の導光板であって、前記発光部からの光が入射する第２の入射部と、前記第２の入射部に入射した光を前記空間に向けて出射する第２の出射面が形成された第２の出射部と、を有する第２の導光板と、を備え、
前記第１の出射面は、前記第２の出射面を含む平面とは異なる平面上に配置されている
照明器具。
【請求項２】
前記第２の導光板は、前記第１の導光板を囲むように配置され、
前記発光部は、
前記第１の導光板の前記第１の入射部に光を入射させる複数の第１の発光素子と、
前記複数の第１の発光素子を囲むように配置され、前記第２の導光板の前記第２の入射部に光を入射させる複数の第２の発光素子と、を有する
請求項１に記載の照明器具。
【請求項３】
前記第１の出射面は、前記第２の出射面よりも前記発光部に近い側に配置されている
請求項２に記載の照明器具。
【請求項４】
前記発光部は、さらに、基板を有し、
前記複数の第１の発光素子及び前記複数の第２の発光素子は、同一の前記基板上に実装されている
請求項２又は３に記載の照明器具。
【請求項５】
前記第１の導光板は、平面視で環状に形成され、
前記第１の導光板の前記第１の入射部は、前記第１の導光板の外周面に形成された入射面を有し、
前記複数の第１の発光素子は、前記入射面に沿って配置されている
請求項２〜４のいずれか１項に記載の照明器具。
【請求項６】
前記第１の導光板の前記入射面は、テーパ状に形成されている
請求項５に記載の照明器具。
【請求項７】
前記照明器具は、さらに、前記複数の第１の発光素子と前記複数の第２の発光素子との間に配置され、前記複数の第１の発光素子からの光を前記第１の導光板の前記入射面に向けて反射する反射部材を備える
請求項５又は６に記載の照明器具。
【請求項８】
前記第２の導光板は、さらに、一端部から他端部に向けてラッパ状に広がり、光を前記一端部から前記他端部に向けて導く湾曲部を有し、
前記第２の入射部は、前記湾曲部の前記一端部に形成され、
前記第２の出射部は、前記湾曲部の前記他端部から径方向外側に延びて平面視で環状に形成されている
請求項２〜７のいずれか１項に記載の照明器具。
【請求項９】
前記照明器具は、さらに、前記第１の導光板の前記第１の出射部からの光を前記空間に向けて拡散させる拡散カバーを備える
請求項２〜８のいずれか１項に記載の照明器具。
【発明の詳細な説明】
【技術分野】
【０００１】
本発明は、室内等を照明するための照明器具に関する。
【背景技術】
【０００２】
室内を照明するための照明器具の一つとして、シーリングライトが知られている（例えば、特許文献１参照）。シーリングライトは、室内の天井に取り付けられる器具本体と、器具本体に支持された基板と、基板に実装された第１の発光素子及び第２の発光素子と、第１の発光素子からの光を室内に導く導光板と、第２の発光素子からの光を拡散させる拡散カバーとを備えている。
【０００３】
拡散カバーは、平面視で円形状に形成されている。導光板は、平面視で環状に形成され、拡散カバーを囲むように配置されている。
【先行技術文献】
【特許文献】
【０００４】
【特許文献１】特開２０１７−２０８２７９号公報
【発明の概要】
【発明が解決しようとする課題】
【０００５】
しかしながら、上述した従来のシーリングライトでは、拡散カバーの一部が暗くなる（いわゆる、見かかりが悪くなる）という課題が生じる。
【０００６】
本発明は、このような課題に鑑みてなされたものであり、照明光の均斉度を高めることができる照明器具を提供することを目的とする。
【課題を解決するための手段】
【０００７】
上記課題を解決するために、本発明の一態様に係る照明器具は、空間を照明するための照明器具であって、発光部と、前記発光部からの光を前記空間に向けて導く第１の導光板であって、前記発光部からの光が入射する第１の入射部と、前記第１の入射部に入射した光を前記空間に向けて出射する第１の出射面が形成された第１の出射部と、を有する第１の導光板と、前記発光部からの光を前記空間に向けて導く第２の導光板であって、前記発光部からの光が入射する第２の入射部と、前記第２の入射部に入射した光を前記空間に向けて出射する第２の出射面が形成された第２の出射部と、を有する第２の導光板と、を備え、前記第１の出射面は、前記第２の出射面を含む平面とは異なる平面上に配置されている。
【発明の効果】
【０００８】
本発明の一態様に係る照明器具によれば、照明光の均斉度を高めることができる。
【図面の簡単な説明】
【０００９】
【図１】実施の形態に係る照明器具の床面側の外観を示す斜視図である。
【図２】実施の形態に係る照明器具の天井側の外観を示す斜視図である。
【図３】実施の形態に係る照明器具を分解して示す分解斜視図である。
【図４】図１のＩＶ−ＩＶ線による、実施の形態に係る照明器具の断面図である。
【図５】図１のＶ−Ｖ線による、実施の形態に係る照明器具の断面斜視図である。
【図６】図３の一部を拡大して示す、実施の形態に係る照明器具の断面図である。
【図７】補助導光板、反射部材、化粧カバー、導光板、支持部材及び拡散カバー等を省略した状態での、実施の形態に係る照明器具を示す平面図である。
【図８】拡散カバーを支持部材から取り外した状態での、実施の形態に係る照明器具を示す斜視図である。
【図９】実施の形態に係る照明器具による照明方法を説明するための図である。
【図１０】比較例に係る照明器具による照明方法と、実施の形態に係る照明器具による照明方法とを比較するための模式図である。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態）
以下、実施の形態に係る照明器具について説明する。
【００１３】
［１．照明器具の全体構成］
図１〜図４を参照しながら、実施の形態に係る照明器具２の全体構成について説明する。図１は、実施の形態に係る照明器具２の床面側の外観を示す斜視図である。図２は、実施の形態に係る照明器具２の天井４側の外観を示す斜視図である。図３は、実施の形態に係る照明器具２を分解して示す分解斜視図である。図４は、図１のＩＶ−ＩＶ線による、実施の形態に係る照明器具２の断面図である。
【００１４】
照明器具２は、例えば室内の空間６（図４参照）を照明するためのシーリングライトであり、室内の天井４（図３参照）に設置される。図１〜図４に示すように、照明器具２は、器具本体８と、アダプタ１０と、回路ユニット１２と、発光モジュール１４（発光部の一例）と、補助導光板１６（第１の導光板の一例）と、反射部材１８と、化粧カバー２０と、導光板２２（第２の導光板の一例）と、支持部材２４と、拡散カバー２６とを備えている。
【００１５】
以下、照明器具２の各構成要素について詳細に説明する。なお、以下に示す各図において、Ｚ軸のマイナス側が天井４側、Ｚ軸のプラス側が床面（図示せず）側を表している。また、説明の都合上、図１、図３〜図６及び図８では、照明器具２を通常の使用時の姿勢とは上下逆の姿勢で図示している。
【００１６】
［２．器具本体］
まず、図２〜図６を参照しながら、器具本体８について説明する。図５は、図１のＶ−Ｖ線による、実施の形態に係る照明器具２の断面斜視図である。図６は、図３の一部を拡大して示す、実施の形態に係る照明器具２の断面図である。
【００１７】
器具本体８は、回路ユニット１２及び発光モジュール１４等を支持するための筐体である。図２〜図６に示すように、器具本体８は、ベース２８と、反射カバー３０とを有している。
【００１８】
ベース２８は、回路ユニット１２を支持するためのものである。図４に示すように、ベース２８は、ＸＹ平面視で円環状に形成され、中央部に円形状の開口部３２を有している。ベース２８の開口部３２の径中心は、照明器具２の中心軸３４（図６参照）上に位置している。なお、中心軸３４は、Ｚ軸に平行な直線である。図５及び図６に示すように、ベース２８の外周部には、反射カバー３０を取り付けるためのフランジ部３６が形成されている。ベース２８は、例えばアルミニウム板又は鋼板等の板金をプレス加工することによって上述した形状に成形される。
【００１９】
図４〜図６に示すように、ベース２８の開口部３２の周縁部には、器具本体８をアダプタ１０に装着するためのホルダ３８が固定されている。ホルダ３８は、ベース２８の開口部３２の周縁部から床面側に延びている。ホルダ３８の内部には、アダプタ１０が着脱自在に嵌合される。
【００２０】
また、図４〜図６に示すように、ベース２８の一方側の面（床面側の面）には、アダプタ１０を保護するための保護カバー４０が取り付けられている。保護カバー４０は、略円筒状に形成され、ホルダ３８を囲むように配置されている。保護カバー４０は、例えば樹脂等の絶縁性材料で形成されている。
【００２１】
さらに、図２及び図４に示すように、ベース２８の他方側の面（天井４側の面）には、例えばウレタン等で形成されたクッション部材４２が複数取り付けられている。複数のクッション部材４２は、ベース２８の周方向に沿って等間隔で配置されている。後述するようにして照明器具２が天井４に設置された際に、複数のクッション部材４２がベース２８と天井４との間に挟み込まれることにより、器具本体８のぐらつきが抑制される。
【００２２】
反射カバー３０は、発光モジュール１４を支持し、且つ、発光モジュール１４からの光を反射するためのものである。なお、反射カバー３０は、発光モジュール１４からの熱を放熱するためのヒートシンクとしても機能する。図４〜図６に示すように、反射カバー３０は円環状に形成され、中央部に略円形状の開口部４４を有している。反射カバー３０の外周部には、フランジ部４６が形成されている。反射カバー３０は、例えばアルミニウム板又は鋼板等の板金をプレス加工することによって上述した形状に成形される。なお、反射カバー３０の一方側の面（床面側の面）には、反射性を高めて光取り出し効率を向上させるために、白色塗料が塗布、又は、反射性金属材料が蒸着されている。
【００２３】
図４〜図６に示すように、反射カバー３０は、ベース２８の一方側の面を覆うように配置されている。反射カバー３０のフランジ部４６は、ベース２８のフランジ部３６にネジ（図示せず）で取り付けられている。また、反射カバー３０の開口部４４の周縁部は、保護カバー４０の先端部に支持されている。なお、ベース２８と反射カバー３０との間には、回路ユニット１２（後述する）を収容するための収容空間４８が形成されている。
【００２４】
［３．アダプタ］
次に、図２〜図６を参照しながら、アダプタ１０について説明する。アダプタ１０は、室内の天井４に予め設置された引っ掛けシーリングボディ５０（図３参照）に器具本体８を着脱自在に取り付けるためのものである。
【００２５】
図２及び図４〜図６に示すように、アダプタ１０は、器具本体８のホルダ３８の内部に着脱自在に嵌合される。また、図３に示すように、アダプタ１０は、引っ掛けシーリングボディ５０に着脱自在に取り付けられる。
【００２６】
照明器具２を室内の天井４に設置する際には、ユーザは、まず、アダプタ１０を引っ掛けシーリングボディ５０に取り付ける。その後、ユーザは、アダプタ１０が器具本体８のホルダ３８の内部に挿入されるようにして、器具本体８を天井４側に押し上げることにより、ホルダ３８とアダプタ１０とを嵌合させる。これにより、器具本体８がアダプタ１０及び引っ掛けシーリングボディ５０を介して室内の天井４に取り付けられ、照明器具２が室内の天井４に設置される。
【００２７】
なお、引っ掛けシーリングボディ５０は、室内の天井４の裏側に配置された商用電源（図示せず）に電線（図示せず）を介して電気的に接続されている。照明器具２が室内の天井４に設置されることにより、商用電源からの交流電力が電線及び引っ掛けシーリングボディ５０を介して照明器具２の回路ユニット１２に供給される。
【００２８】
［４．回路ユニット］
次に、図４〜図６を参照しながら、回路ユニット１２について説明する。回路ユニット１２は、発光モジュール１４を点灯させるための電力を生成し、且つ、発光モジュール１４の点消灯を制御するためのユニットである。
【００２９】
図４〜図６に示すように、回路ユニット１２は、基板５２と、基板５２に実装された複数の回路部品５４とを有している。回路ユニット１２は、ベース２８と反射カバー３０との間に形成された収容空間４８に収容されている。
【００３０】
基板５２は、複数の回路部品５４を実装するためのプリント配線基板である。基板５２は、器具本体８のベース２８の一方側の面にネジ（図示せず）で取り付けられている。なお、基板５２としては、例えば、樹脂基板、メタルベース基板、セラミック基板又はガラス基板等を用いることができる。また、基板５２は、リジッド基板に限定されず、フレキシブル基板であってもよい。
【００３１】
複数の回路部品５４は、基板５２の実装面（床面側の面）に実装されている。複数の回路部品５４は、電源用回路部品と、制御用回路部品とを含んでいる。電源用回路部品は、発光モジュール１４を点灯させるための電力を生成するための電源回路を構成する。電源回路は、上述した商用電源から電線を介して供給されてきた交流電力を直流電力に変換し、当該直流電力を発光モジュール１４に供給する。電源回路で生成された直流電力が発光モジュール１４に供給されることにより、発光モジュール１４が点灯する。また、制御用回路部品は、発光モジュール１４の点消灯を制御するための制御回路を構成する。
【００３２】
なお、複数の回路部品５４は、例えば、ａ）電解コンデンサ又はセラミックコンデンサ等の容量素子、ｂ）抵抗器等の抵抗素子、ｃ）整流回路素子、ｄ）コイル素子、ｅ）チョークコイル（チョークトランス）、ｆ）ノイズフィルタ、ｇ）ダイオード又は集積回路素子等の半導体素子等を含んでいる。
【００３３】
［５．発光モジュール］
次に、図３〜図７を参照しながら、発光モジュール１４について説明する。図７は、補助導光板１６、反射部材１８、化粧カバー２０、導光板２２、支持部材２４及び拡散カバー２６等を省略した状態での、実施の形態に係る照明器具２を示す平面図である。
【００３４】
発光モジュール１４は、例えば白色光を発するための光源である。図３〜図７に示すように、発光モジュール１４は、複数の基板５６と、複数の基板５６の各々に実装された複数の第１の発光素子５８及び複数の第２の発光素子６０とを有している。すなわち、複数の第１の発光素子５８及び複数の第２の発光素子６０は、同一の基板５６上に実装されている。
【００３５】
図７に示すように、複数の基板５６の各々は、複数の第１の発光素子５８及び複数の第２の発光素子６０を実装するためのプリント配線基板であり、略円弧状に形成されている。複数の基板５６は、器具本体８の反射カバー３０の開口部４４を囲むように円環状に配置され、反射カバー３０の一方側の面にネジ６２で取り付けられている。なお、基板５６としては、例えば、樹脂基板、メタルベース基板、セラミック基板又はガラス基板等を用いることができる。また、基板５６は、リジッド基板に限定されず、フレキシブル基板であってもよい。
【００３６】
図７に示すように、複数の第１の発光素子５８は、基板５６の実装面（床面側の面）の内周部側に実装されている。具体的には、複数の第１の発光素子５８は、基板５６の実装面の内周部側において、基板５６の周方向に間隔を置いて円弧状に配置されている。これにより、発光モジュール１４全体としては、複数の第１の発光素子５８は、円環状に配置されている。
【００３７】
図７に示すように、複数の第２の発光素子６０は、基板５６の実装面の外周部側に実装されている。具体的には、複数の第２の発光素子６０は、基板５６の実装面の外周部側において、基板５６の周方向に間隔を置いて円弧状に配置されている。これにより、発光モジュール１４全体としては、複数の第２の発光素子６０は、複数の第１の発光素子５８を囲むように、円環状に配置されている。
【００３８】
第１の発光素子５８及び第２の発光素子６０の各々は、例えば、パッケージ化された表面実装（ＳＭＤ：Ｓｕｒｆａｃｅ  Ｍｏｕｎｔ  Ｄｅｖｉｃｅ）型の白色ＬＥＤ（Ｌｉｇｈｔ  Ｅｍｉｔｔｉｎｇ  Ｄｉｏｄｅ）素子である。すなわち、第１の発光素子５８及び第２の発光素子６０の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００３９】
このように、第１の発光素子５８及び第２の発光素子６０の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして第１の発光素子５８及び第２の発光素子６０の各々から白色光が出射される。
【００４０】
なお、本実施の形態では、第１の発光素子５８及び第２の発光素子６０がともに白色光を発するようにしたが、互いに異なる色（波長）の光を発するようにしてもよい。例えば、第１の発光素子５８が白色光を発し、第２の発光素子６０が電球色光を発するようにしてもよい。
【００４１】
［６．補助導光板］
次に、図３〜図６を参照しながら、補助導光板１６について説明する。補助導光板１６は、複数の第１の発光素子５８からの光を、拡散カバー２６を介して室内の空間６に導くための光学部材である。
【００４２】
図３〜図６に示すように、補助導光板１６は、ＸＹ平面視で円環状に形成されている。具体的には、補助導光板１６は、入射部６６（第１の入射部の一例）と、出射部６８（第１の出射部の一例）とを有している。図６に示すように、補助導光板１６の外周側は、発光モジュール１４の複数の基板５６の各内周側に支持されている。また、補助導光板１６の内周側は、反射カバー３０の一方側の面における内周側にネジ６４（後述する図８参照）で取り付けられている。なお、補助導光板１６は、透光性を有する材料、例えば透明のアクリル樹脂等で形成されている。
【００４３】
図５及び図６に示すように、入射部６６は、補助導光板１６の外周部に形成されている。具体的には、入射部６６は、補助導光板１６の外周面に形成された入射面６６ａを有している。入射面６６ａは、補助導光板１６の裏面７０（後述する）側から出射面６８ａ（後述する）側に向けて拡径するテーパ状に形成され、複数の第１の発光素子５８に対向且つ近接する位置に配置されている。これにより、複数の第１の発光素子５８は、入射面６６ａの周方向に沿って配置され、入射面６６ａに光を入射させる。なお、補助導光板１６の出射面６８ａに対する入射面６６ａの傾斜角度は、例えば４０°〜４５°である。
【００４４】
図５及び図６に示すように、出射部６８は、補助導光板１６の一方側の面（拡散カバー２６に対向する側の面）に形成されている。具体的には、出射部６８は、補助導光板１６の一方側の面に形成された出射面６８ａ（第１の出射面の一例）を有している。出射面６８ａは、拡散カバー２６に対向するように、略水平な姿勢（すなわち、天井４に対して略平行な姿勢）で配置されている。補助導光板１６の他方側の面（出射面６８ａとは反対側の面）である裏面７０には、例えばドット加工により低角プリズムが形成されている。補助導光板１６の入射面６６ａに入射した複数の第１の発光素子５８からの光は、低角プリズムで反射することにより、出射面６８ａから拡散されて出射する。出射面６８ａから出射した光は、拡散カバー２６に入射する。
【００４５】
［７．反射部材］
次に、図３〜図６を参照しながら、反射部材１８について説明する。反射部材１８は、複数の第１の発光素子５８からの光を補助導光板１６の入射面６６ａに向けて反射するためのものである。
【００４６】
図３〜図６に示すように、反射部材１８は、ＸＹ平面視で円環状に形成されている。具体的には、図５及び図６に示すように、反射部材１８は、反射部７２と、取付部７４とを有している。なお、反射部材１８は、例えば白色のポリカーボネート樹脂等で形成されている。
【００４７】
反射部７２は、一端部（天井４側の端部）から他端部（床面側の端部）に向けて湾曲しながら縮径している。図６に示すように、反射部７２の凹面側には、反射面７２ａが形成されている。反射部７２の反射面７２ａは、円環状に配置された複数の第１の発光素子５８を、その全周に亘って覆うように配置されている。なお、反射部７２の他端部は、補助導光板１６の出射面６８ａの外周部を覆うように配置されている。
【００４８】
取付部７４は、反射部７２の一端部の全周から反射部材１８の径方向外側に円環状に延びている。取付部７４は、発光モジュール１４の複数の基板５６の各々にネジ（図示せず）で取り付けられている。
【００４９】
［８．化粧カバー］
次に、図３〜図６を参照しながら、化粧カバー２０について説明する。化粧カバー２０は、器具本体８を側方から覆って化粧するためのカバーである。
【００５０】
図３〜図６に示すように、化粧カバー２０は、一端部（床面側の端部）から他端部（天井４側の端部）に向けてラッパ状に広がる形状に形成されている。図５及び図６に示すように、化粧カバー２０は、器具本体８を側方から覆うように配置され、反射カバー３０のフランジ部４６に支持されている。なお、化粧カバー２０は、例えばポリスチレン樹脂等で形成されている。
【００５１】
［９．導光板］
次に、図１〜図６を参照しながら、導光板２２について説明する。導光板２２は、複数の第２の発光素子６０からの光を室内の空間６に導くための光学部材である。
【００５２】
図３〜図６に示すように、導光板２２は、ＸＹ平面視で円環状に形成され、中央部に円形状の開口部７６（図３参照）を有している。導光板２２は、補助導光板１６を囲むように配置されている。導光板２２は、湾曲部７８と、入射部８０（第２の入射部の一例）と、出射部８２（第２の出射部の一例）と、複数の取付部８４とを有している。なお、導光板２２は、透光性を有する材料、例えば透明のアクリル樹脂等で形成されている。
【００５３】
湾曲部７８は、一端部（天井４側の端部）から他端部（床面側の端部）に向けてラッパ状に湾曲しながら拡径している。湾曲部７８の凹面側は化粧カバー２０の一端部に支持され、湾曲部７８の凸面側は支持部材２４（後述する）に支持されている。すなわち、湾曲部７８は、化粧カバー２０と支持部材２４との間に挟持されている。湾曲部７８は、入射部８０に入射した光を、湾曲部７８の一端部から他端部に向けて導く。
【００５４】
入射部８０は、湾曲部７８の一端部の全周に亘って円環状に形成されている。入射部８０は、複数の第２の発光素子６０に対向且つ近接する位置に配置されている。これにより、複数の第２の発光素子６０は、入射部８０の周方向に沿って配置され、入射部８０に光を入射させる。
【００５５】
出射部８２は、湾曲部７８の他端部の全周から導光板２２の径方向外側に延び、ＸＹ平面視で円環状に形成されている。図１及び図２に示すように、出射部８２は、化粧カバー２０の一端部よりも導光板２２の径方向外側に張り出しており、略水平な姿勢で配置されている。図５及び図６に示すように、出射部８２の一方側の面（床面側の面）には、光を室内の空間６に向けて出射する平面状の出射面８２ａ（第２の出射面の一例）が形成されている。出射部８２の他方側の面（天井４側の面）には、例えばドット加工により低角プリズムが形成されている。湾曲部７８から出射部８２に導かれた光は、低角プリズムで反射することにより、出射部８２の出射面８２ａから拡散されて出射する。出射面８２ａから出射した光は、室内の空間６に向けて照射される。
【００５６】
なお、図６に示すように、出射部８２と化粧カバー２０との間には、例えばゴム材料等で形成された円環状のシール部材８６が介在されている。シール部材８６は、出射部８２と化粧カバー２０との間の隙間を、出射部８２の周方向の全周に亘ってシールする。これにより、虫等が出射部８２と化粧カバー２０との間の隙間から照明器具２の内部に侵入するのを抑制することができる。
【００５７】
また、図６に示すように、補助導光板１６の出射面６８ａは、導光板２２の出射面８２ａを含む平面とは異なる平面上に配置されている。具体的には、補助導光板１６の出射面６８ａは、導光板２２の出射面８２ａよりも発光モジュール１４に近い側に配置されている。なお、補助導光板１６の出射面６８ａと導光板２２の出射面８２ａとのＺ軸方向における離間距離は、例えば約３０ｍｍである。
【００５８】
複数の取付部８４の各々は、入射部８０から導光板２２の径方向内側に向けて延びている。図３に示すように、複数の取付部８４は、入射部８０の周方向に間隔を置いて配置されている。複数の取付部８４の各々は、発光モジュール１４の基板５６の所定の領域（複数の第１の発光素子５８と複数の第２の発光素子６０との間の領域）にネジ（図示せず）で取り付けられている。
【００５９】
［１０．支持部材］
次に、図３〜図６及び図８を参照しながら、支持部材２４について説明する。図８は、拡散カバー２６を支持部材２４から取り外した状態での、実施の形態に係る照明器具２を示す斜視図である。
【００６０】
支持部材２４は、拡散カバー２６を支持するためのものである。図３〜図６に示すように、支持部材２４は、ＸＹ平面視で円環状に形成されている。支持部材２４は、例えば遮光性を有する材料（例えば不透明の樹脂材料等）で形成されている。図５及び図６に示すように、支持部材２４は、導光板２２の湾曲部７８の凸面側及び複数の取付部８４を覆うように配置されている。
【００６１】
図８に示すように、支持部材２４の内周部には、複数の係合部８８が形成されている。複数の係合部８８は、支持部材２４の周方向に間隔を置いて配置されている。
【００６２】
なお、支持部材２４は、拡散カバー２６を支持する機能以外に、導光板２２と補助導光板１６との間を遮光する機能を有している。これにより、補助導光板１６の出射面６８ａから出射した光は、支持部材２４によって遮られ、導光板２２の湾曲部７８の凸面側に入射するのが抑制される。
【００６３】
［１１．拡散カバー］
次に、図１、図３〜図６及び図８を参照しながら、拡散カバー２６について説明する。拡散カバー２６は、補助導光板１６の出射面６８ａからの光を室内の空間６に向けて拡散させる（すなわち、発光モジュール１４からの光を室内の空間６に向けて透過させる）ためのカバーである。
【００６４】
図１、図３〜図６に示すように、拡散カバー２６は、ＸＹ平面視で円形状に形成され、導光板２２の開口部７６を覆うように、且つ、補助導光板１６の出射面６８ａに対向するように配置されている。すなわち、導光板２２は、拡散カバー２６を囲むように配置されている。拡散カバー２６は、透光性を有する材料（例えば乳白色のアクリル樹脂等）で形成されている。
【００６５】
拡散カバー２６には、光を室内の空間６に向けて出射する平面状の出射面９０が形成されている。図６に示すように、拡散カバー２６の出射面９０及び導光板２２の出射面８２ａは、同一平面上に配置され、且つ、ＸＹ平面視で互いに重ならないように配置されている。
【００６６】
図８に示すように、拡散カバー２６の外周部には、複数の突部９２が形成されている。複数の突部９２は、支持部材２４の複数の係合部８８に対応して、拡散カバー２６の周方向に間隔を置いて配置されている。
【００６７】
拡散カバー２６を支持部材２４に取り付ける際には、ユーザは、拡散カバー２６を導光板２２の開口部７６に近付け、拡散カバー２６を支持部材２４に対して図８中の矢印Ｐで示す方向に回動させる。これにより、複数の突部９２がそれぞれ複数の係合部８８に係合され、拡散カバー２６が支持部材２４に支持される。
【００６８】
一方、拡散カバー２６を支持部材２４から取り外す際には、ユーザは、拡散カバー２６を支持部材２４に対して図８中の矢印Ｑで示す方向に回動させる。これにより、複数の突部９２がそれぞれ複数の係合部８８から離脱し、拡散カバー２６が支持部材２４から取り外される。
【００６９】
［１２．照明器具による照明方法］
次に、図６及び図９を参照しながら、上述した照明器具２による照明方法について説明する。図９は、実施の形態に係る照明器具２による照明方法を説明するための図である。
【００７０】
回路ユニット１２からの直流電力が発光モジュール１４に供給されることにより、複数の第１の発光素子５８及び複数の第２の発光素子６０の各々が発光する。
【００７１】
図６に示すように、複数の第１の発光素子５８からの光の一部は、補助導光板１６の入射面６６ａに直接入射する。また、複数の第１の発光素子５８からの光の他の一部は、反射部材１８の反射面７２ａで反射した後に、補助導光板１６の入射面６６ａに入射する。補助導光板１６の入射面６６ａに入射した光は、補助導光板１６の内部を進み、出射面６８ａから出射する。補助導光板１６の出射面６８ａから出射した光は、拡散カバー２６に入射する。拡散カバー２６に入射した光は、拡散カバー２６の出射面９０から拡散されて出射し、室内の空間６に向けて照射される。
【００７２】
また、図６に示すように、複数の第２の発光素子６０からの光は、導光板２２の入射部８０に入射した後に、湾曲部７８へと導かれる。湾曲部７８に導かれた光は、出射部８２に向けて導かれる。出射部８２に導かれた光は、出射部８２の出射面８２ａから出射し、室内の空間６に向けて照射される。
【００７３】
さらに、図９に示すように、上述した照明器具２は、発光モジュール１４を点灯させる点灯モードとして、第１の点灯モード、第２の点灯モード及び第３の点灯モードのうちいずれかに切り替える機能を有している。例えばユーザがリモコン等を操作することにより、発光モジュール１４の点灯モードを切り替えることができる。なお、図９では、「発光」を白色で表し、「非発光」を灰色で表している。
【００７４】
図９の（ａ）に示すように、第１の点灯モードは、複数の第１の発光素子５８及び複数の第２の発光素子６０をともに点灯させる点灯モードであり、拡散カバー２６の出射面９０及び導光板２２の出射面８２ａがともに発光する。この第１の点灯モードは、例えば室内全体を明るくしたい場合に適している。
【００７５】
図９の（ｂ）に示すように、第２の点灯モードは、複数の第１の発光素子５８のみを点灯させる点灯モードであり、拡散カバー２６の出射面９０のみが発光する。この第２の点灯モードは、例えばユーザが照明器具２の直下で手作業等を行う場合に適している。
【００７６】
図９の（ｃ）に示すように、第３の点灯モードは、複数の第２の発光素子６０のみを点灯させる点灯モードであり、導光板２２の出射面８２ａのみが発光する。この第３の点灯モードは、例えば室内を落ち着いた雰囲気にしたい場合に適している。
【００７７】
［１３．効果］
ここで、図１０を参照しながら、比較例に係る照明器具１００による照明方法について説明する。図１０は、比較例に係る照明器具１００による照明方法と、実施の形態に係る照明器具２による照明方法とを比較するための模式図である。なお、図１０において、実施の形態に係る照明器具２と同一の構成要素には同一の符号を付して、その説明を省略する。また、図１０では、光による照明領域を網掛け模様で表している。
【００７８】
図１０の（ａ）に示すように、比較例に係る照明器具１００では、導光板１０２の配置が本実施の形態と異なっている。具体的には、導光板１０２の出射面１０４は、導光板２２の出射面８２ａと同一平面上に配置されている。
【００７９】
しかしながら、このような構成では、以下のような課題が生じる。図１０の（ａ）に示すように、上述した第１の点灯モードでは、導光板１０２の出射面１０４から出射した光による照明領域と、導光板２２の出射面８２ａから出射した光による照明領域との間には、影が生じるようになる。その結果、照明器具１００からの照明光の均斉度が低下してしまう。
【００８０】
これに対して、本実施の形態の照明器具２は、空間６を照明するための照明器具である。照明器具２は、発光モジュール１４と、発光モジュール１４からの光を空間６に向けて導く補助導光板１６であって、発光モジュール１４からの光が入射する入射部６６と、入射部６６に入射した光を空間６に向けて出射する出射面６８ａが形成された出射部６８とを有する補助導光板１６と、発光モジュール１４からの光を空間６に向けて導く導光板２２であって、発光モジュール１４からの光が入射する入射部８０と、入射部８０に入射した光を空間６に向けて出射する出射面８２ａが形成された出射部８２とを有する導光板２２とを備える。出射面６８ａは、出射面８２ａを含む平面とは異なる平面上に配置されている。
【００８１】
これによれば、補助導光板１６の出射面６８ａは、導光板２２の出射面８２ａを含む平面とは異なる平面上に配置されているので、図１０の（ｂ）に示すように、補助導光板１６の出射面６８ａから出射した光による照明領域と、導光板２２の出射面８２ａから出射した光による照明領域との重なり領域（斜線部分）を、上述した比較例に係る照明器具１００と比べて増大させることができる。その結果、補助導光板１６の出射面６８ａから出射した光による照明領域と、導光板２２の出射面８２ａから出射した光による照明領域との間に影が生じ難くなり、照明器具２からの照明光の均斉度を高めることができる。
【００８２】
さらに、導光板２２は、補助導光板１６を囲むように配置されている。発光モジュール１４は、補助導光板１６の入射部６６に光を入射させる複数の第１の発光素子５８と、複数の第１の発光素子５８を囲むように配置され、導光板２２の入射部８０に光を入射させる複数の第２の発光素子６０とを有している。
【００８３】
これによれば、導光板２２は補助導光板１６を囲むように配置されているので、導光板２２の出射面８２ａからの光による照明領域と、補助導光板１６の出射面６８ａからの光による照明領域の発光との重なり領域をより一層増大させることができる。その結果、照明器具２からの照明光の均斉度をより一層高めることができる。
【００８４】
さらに、出射面６８ａは、出射面８２ａよりも発光モジュール１４に近い側に配置されている。
【００８５】
これによれば、導光板２２の出射面８２ａからの光による照明領域と、補助導光板１６の出射面６８ａからの光による照明領域の発光との重なり領域をより一層増大させることができる。その結果、照明器具２からの照明光の均斉度をより一層高めることができる。
【００８６】
さらに、発光モジュール１４は、基板５６を有している。複数の第１の発光素子５８及び複数の第２の発光素子６０は、同一の基板５６上に実装されている。
【００８７】
これによれば、発光モジュール１４の小型化を図ることができる。
【００８８】
さらに、補助導光板１６は、平面視で環状に形成されている。補助導光板１６の入射部６６は、導光板２２の外周面に形成された入射面６６ａを有している。複数の第１の発光素子５８は、入射面６６ａに沿って配置されている。
【００８９】
これによれば、照明器具２の薄型化を図ることができる。
【００９０】
さらに、補助導光板１６の入射面６６ａは、テーパ状に形成されている。
【００９１】
これによれば、複数の第１の発光素子５８を補助導光板１６の入射面６６ａに沿って配置した場合であっても、複数の第１の発光素子５８からの光を補助導光板１６の入射面６６ａに効率良く入射させることができる。
【００９２】
さらに、照明器具２は、複数の第１の発光素子５８と複数の第２の発光素子６０との間に配置され、複数の第１の発光素子５８からの光を補助導光板１６の入射面６６ａに向けて反射する反射部材１８を備える。
【００９３】
これによれば、複数の第１の発光素子５８を補助導光板１６の入射面６６ａに沿って配置した場合であっても、複数の第１の発光素子５８からの光を補助導光板１６の入射面６６ａに効率良く入射させることができる。
【００９４】
さらに、導光板２２は、一端部から他端部に向けてラッパ状に広がり、光を一端部から他端部に向けて導く湾曲部７８を有している。入射部８０は、湾曲部７８の一端部に形成され、出射部８２は、湾曲部７８の他端部から径方向外側に延びて平面視で環状に形成されている。
【００９５】
これによれば、導光板２２は湾曲部７８を有しているので、導光板２２の径方向における大きさを小さく抑えることができる。
【００９６】
さらに、照明器具２は、補助導光板１６の出射部６８からの光を空間６に向けて拡散させる拡散カバー２６を備える。
【００９７】
これによれば、拡散カバー２６により、照明器具２からの照明光の均斉度を高めることができる。
【００９８】
（変形例等）
以上、本発明について上記実施の形態に基づいて説明したが、本発明は、上記実施の形態に限定されるものではない。
【００９９】
上記実施の形態では、導光板２２が補助導光板１６を囲むように配置されるようにしたが、これに限定されず、例えば導光板２２及び補助導光板１６を横方向（例えばＸ方向）にのみ隣接するように配置してもよく、導光板２２及び補助導光板１６を任意に配置することができる。
【０１００】
上記実施の形態では、補助導光板１６の出射面６８ａを導光板２２の出射面８２ａよりも発光モジュール１４に近い側に配置したが、これとは反対に、導光板２２の出射面８２ａを補助導光板１６の出射面６８ａよりも発光モジュール１４に近い側に配置してもよい。
【０１０１】
上記実施の形態では、照明器具２をシーリングライトとしたが、これに限定されず、例えばシャンデリア、ペンダントライト、ブラケットライト、バスルームライト又はキッチンライト等としてもよい。
【０１０２】
また、上記実施の形態では、第１の発光素子５８及び第２の発光素子６０の各実装構造をＳＭＤ構造としたが、これに限定されず、例えばＬＥＤチップを基板５６に直接実装したＣＯＢ（Ｃｈｉｐ  Ｏｎ  Ｂｏａｒｄ）構造であってもよい。この場合、封止部材によって、基板５６上に実装された複数のＬＥＤチップを一括に封止してもよく、あるいは、個別に封止してもよい。また、封止部材には、上述した黄色蛍光体等の波長変換材が含有されていてもよい。
【０１０３】
また、上記実施の形態では、第１の発光素子５８及び第２の発光素子６０としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【０１０４】
また、照明器具２は、例えばマイナスイオンを発生させるためのイオン発生部を備えていてもよい。イオン発生部は、例えば器具本体８の内部に配置されている。イオン発生部は、針状放電極と、針状放電極に高電圧（例えば、約６０００Ｖ）を印加する高電圧発生回路と、針状放電極を冷却するペルチェ素子とを有している。針状放電極は、ペルチェ素子のペルチェ効果によって冷却されることにより結露する。高電圧発生回路が針状放電極に結露した空気中の水分に高電圧を印加することにより、ナノメータサイズ（例えば、直径約５〜２０ｎｍ）の微粒子水で包まれたマイナスイオン（いわゆる、ナノイー（登録商標））を発生させる。イオン発生部により発生したマイナスイオンは、器具本体８の内部に配置された送風ファン等により器具本体８の外部に吹き出され、室内に拡散される。
【０１０５】
なお、ナノイーは、マイナスイオン単独で存在する場合よりも空気中に長時間（マイナスイオンの約６倍の寿命で）存在することが可能であり、且つ、ナノメータサイズと非常に小さいため、室内全体に万遍無く拡散し且つ長時間浮遊することができる。ナノイーは、反応性が高く、且つ、臭い成分に作用して無臭成分に分解する能力を持つことが知られている。そのため、ナノイーが室内に拡散することにより、ａ）室内のカーテン又は浮遊塵埃等を脱臭する効果、ｂ）室内に浮遊又は付着しているアレルゲン、ウイルス等を不活化させる効果、ｃ）室内に浮遊又は付着しているカビ、細菌等を除菌する効果等が得られる。
【０１０６】
また、照明器具２は、室内に人が存在することを検出する人感センサと、照明器具２の周囲の画像を撮像するためのカメラ機能を有する画像センサとを備えていてもよい。画像センサは、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサである。この場合、人感センサで室内に人を検知した際に、防犯対策として画像センサにより撮像した画像をメモリ等に記憶しておくことができる。
【０１０７】
また、照明器具２は、有線又は無線によって照明器具２が受信した音声を出力するスピーカを備えていてもよい。この場合、例えば発光モジュールの点灯に同期してスピーカから音声が出力されるように、スピーカが制御されてもよい。
【０１０８】
その他、上記実施の形態に対して当業者が思い付く各種変形を施して得られる形態や、本発明の趣旨を逸脱しない範囲で上記実施の形態における構成要素及び機能を任意に組み合わせることで実現される形態も本発明に含まれる。
【符号の説明】
【０１０９】
２，１００  照明器具
６  空間
１４  発光モジュール（発光部）
１６  補助導光板（第１の導光板）
１８  反射部材
２２  導光板（第２の導光板）
２６  拡散カバー
５６  基板
５８  第１の発光素子
６０  第２の発光素子
６６  入射部（第１の入射部）
６６ａ  入射面
６８  出射部（第１の出射部）
６８ａ  出射面（第１の出射面）
７８  湾曲部
８０  入射部（第２の入射部）
８２  出射部（第２の出射部）
８２ａ  出射面（第２の出射面）
【図１】
2020136043.tif 000003
【図２】
2020136043.tif 000004
【図３】
2020136043.tif 000005
【図４】
2020136043.tif 000006
【図５】
2020136043.tif 000007
【図６】
2020136043.tif 000008
【図７】
2020136043.tif 000009
【図８】
2020136043.tif 000010
【図９】
2020136043.tif 000011
【図１０】
2020136043.tif 000012